(57)【特許請求の範囲】
【請求項１】
引戸本体の移動方向端部に取付けられて引手を有する引戸を構成する引手部材であって、
底面および前記底面の両端部から互いに対向して延出する一対の溝縁部で構成された凹溝内に上記移動方向端部がその端部辺の略全長に亘って挿入され、該移動方向端部に被さる断面コ字状の取付部と、
該取付部よりも薄い厚みを有して該取付部の移動方向先端側でかつ該取付部の略全長に沿って設けられ、引戸の表裏の少なくともいずれかの側に引手用溝部を構成する薄層連結部と、
該薄層連結部よりも厚く形成されかつ該薄層連結部の移動方向先端側に該薄層連結部の略全長に沿って設けられる戸当たり部とを備えており、
前記取付部の前記底面の中央部には、前記移動方向端部の端面に設けられた係止溝に係止される係止部が突出形成されており、
前記係止部全体が前記凹溝内にあり、かつ、前記係止部の先端が前記凹溝の奥にあることを特徴とする引戸用通し引手部材。
【請求項２】
前記溝縁部の先端側には、前記凹溝内に向けて突出する係止部がさらに形成されていることを特徴とする請求項１に記載の引戸用通し引手部材。
【発明の詳細な説明】
【０００１】
【産業上の利用分野】
本発明は、住宅、小屋等の屋内開口部を開閉し得る引戸の通し引手部材に関し、さらに詳しくは、引戸本体に対して別体で取付可能な引戸用通し引手部材に関する。
【０００２】
【従来の技術】
従来から、住宅、小屋等の屋内開口部を開閉する引戸において通し引手をつける場合、引戸自体に、直接、通し引手用の溝をモルダー加工したり、また、框組により引戸を構成する時に通し引手を形成した縦框部材を、本体部材とは別体で作製し、これらを接合している。
【０００３】
しかしながら、上記前者の場合はラッピング等の後処理が必要となり、また、後者の場合は縦框部材と本体部材とを別体に作製する必要があって、これらはいずれも工程が煩雑となり、加工性、生産性が低くなるという欠点を有していた。
【０００４】
【発明が解決しようとする課題】
本発明は、上記問題点に鑑みなされたもので、取付・接合のための加工を最小にし、取付・接合後の後加工の必要が無く、引戸本体に対して簡単に通し引手を設けることができる引戸用通し引手部材を提供しようとするものである。
【０００５】
【課題を解決するための手段】
かくして本願『請求項１』に係る発明によれば、『引戸本体(d)の移動方向端部(d01)(d02)に取付けられて引手を有する引戸を構成する引手部材であって、
底面(a11)および前記底面(a11)の両端部から互いに対向して延出する一対の溝縁部(a12)(a12)で構成された凹溝内に上記移動方向端部(d01)(d02)がその端部辺の略全長に亘って挿入され、該移動方向端部(d01)(d02)に被さる断面コ字状の取付部(a1)と、
該取付部(a1)よりも薄い厚みを有して該取付部(a1)の移動方向先端側でかつ該取付部(a1)の略全長に沿って設けられ、引戸(D)の表裏の少なくともいずれかの側に引手用溝部(a21)を構成する薄層連結部(a2)と、
該薄層連結部(a2)よりも厚く形成されかつ該薄層連結部(a2)の移動方向先端側に該薄層連結部(a2)の略全長に沿って設けられる戸当たり部(a3)とを備えており、
前記取付部(a1)の前記底面(a11)の中央部には、前記移動方向端部(d01)(d02)の端面(d11)に設けられた係止溝(d111)に係止される係止部(a10)が突出形成されており、
前記係止部(a10)全体が前記凹溝内にあり、かつ、前記係止部(a10)の先端が前記凹溝の奥にあることを特徴とする引戸用通し引手部材(A1)(A2)(A3)(A4)』が提供される。
【０００６】
本願『請求項１』に係る発明によれば、取付部(a1)の凹溝に引戸本体(d)の移動方向端部(d01)(d02)を挿入し、かつ、該取付部(a1)の凹溝内に突出形成されている係止部(a10)を上記端部(d01)(d02)に係止することにより、上記端部(d01)(d02)に被さって引戸(D)を構成すると共に、取付部(a1)と戸当たり部(a3)との間における該引戸(D)の表裏の少なくともいずれかに上記薄層連結部(a2)により移動方向端部(d01)(d02)に沿った引手用溝部(a21)が構成され、これが通し引手(d4)となる。
【０００７】
【発明の実施の形態】
本発明の引手部材(A1)(A2)(A3)(A4)において、取付部(a1)は、引戸本体(d)の移動方向端部(d01)(d02)がその端部辺の略全長に亘って挿入されて、この端部(d01)(d02)に被さる様に構成される。
また、該取付部(a1)の溝の内幅(t1)は、引戸本体(d)の移動方向端部(d01)(d02)の厚みと略同等に設定されることが好ましい。従って、上記取付部(a1)に上記端部(d01)(d02)を挿入したときは、該取付部(a1)を構成する部分の肉厚に相当する段差が引戸本体(d)との間に生ずるので、上記肉厚は出来るだけ薄く形成されることが好ましい。
【０００８】
本発明の引手部材(A1)(A2)(A3)(A4)において、上記取付部(a1)に設けられる係止部(a10)は、移動方向端部(d01)(d02)の端面に対向する部位(a11)であっても良く、また該端面の両側面に対向する部位(a12)(a12)であっても良い。
また、係止部(a10)は、取付部(a1)に沿って突条に形成されることが好ましい。この突条は連続したものが好ましいが、別段これに限定されず断続的に形成されていても良い。
さらに、移動方向端部(d01)(d02)の端面に対向する部位(a11)に形成される場合はその幅中央部に設けられることが好ましい。
【０００９】
本発明の引手部材(A1)(A2)(A3)(A4)において、上記取付部(a1)の移動方向端部側には、該取付部(a1)の略全長に沿って薄層連結部(a2)が設けられる。この薄層連結部(a2)は上記取付部(a1)と後述する戸当たり部(a3)との間に介在して、引手用溝部(a21)を形成する。上記引手用溝部(a21)は、構成される引戸(D)の表裏の少なくともいずれかの側に設けられれば良いが、表裏の何れにも設けられることがより好ましい。
【００１０】
本発明の引手部材(A1)(A2)(A3)(A4)において、これを構成する材質は、樹脂、金属、木質又はこれらの複合物等の何れであってもよいが、成形により簡単かつ大量に製造できる点から、樹脂が最も好ましい。
【００１１】
本発明の引手部材(A1)(A2)(A3)(A4)の取付対象となる引戸本体(d)は、当該分野で公知のものをそのまま用いることができる。例えば、枠材と面材(d2)とが接着一体化されて構成されるものであっても良く、また枠材と、芯材と、面材とが接着一体化されて構成されるものであっても良い。
上記面材(d2)には例えばＭＤＦ、ハードボード等の木質繊維板や合板等が挙げられ、上記芯材には例えば合板、ＬＶＬ、ＭＤＦ、パーティクルボード、集成材、ペーパーハニカム、あるいはこれらの複合物等が挙げられる。
【００１２】
引戸本体(d)が枠材を有する場合、本発明の引手部材(A1)(A2)(A3)(A4)の係止対象は、縦枠(d1)とすることが好ましい。
【００１３】
［実施例］
以下、実施例により本発明を説明するが、本発明はこれらにより限定されるものではない。
【００１４】
実施例１
図１は、本発明の引戸用通し引手部材の一例を適用した引戸の正面概略図、図２は図１の引戸の平面概略図、図３は本発明の引戸用通し引手部材の一例の断面構成説明図、図４は図１の引戸の要部断面概略図である。
【００１５】
これらの図を参照しながら説明すると、引戸(D)は、引戸本体(d)とこの引戸本体(d)の移動方向の前・後の各端部(d01)(d02)にそれぞれ設けられた引戸用通し引手部材(A1)(A1)とから構成されている。なお、引戸用通し引手部材は、引戸本体の前・後の片側だけ使用しても良い。
【００１６】
本例の引戸本体(d)は、縦枠(d1)及び横枠（図示せず）からなる枠材と、これに接着一体化される表裏の面材(d2)と、これらの面材間に設けられるハニカム構造体(d3)とから主として構成されたフラッシュパネルが用いられている。
【００１７】
従って、引戸本体(d)の移動方向端部(d01)(d02)は、本例では縦枠(d1)及び面材(d2)で構成されており、この縦枠(d1)の先端面(d11)には、後述する引戸用通し引手部材(A1)を取付ける為の係止溝(d111)が設けられている。
なお、上記ハニカム構造体に替えて又はこれと併用して、合成樹脂発泡体、グラスウール、ロックウール等の断熱材が充填されていても良い。
【００１８】
引戸用通し引手部材(A1)は、図３に示す断面構造を有するＡＢＳ樹脂成形品からできており、引戸本体(d)の厚みに相当する内幅(t1)を有する断面コ字状の取付部(a1)と、この取付部(a1)の背面の中央部に連結される薄層連結部(a2)と、上記取付部(a1)と同等の厚みを有して上記薄層連結部(a2)に連結される戸当たり部(a3)とから構成されている。
【００１９】
上記引戸用通し引手部材(A1)は、前記引戸本体(d)と同等の長さを有するように設定されている。従って、上記取付部(a1)は上記引戸本体(d)の端部(d01)(d02)をその長さ方向に亘って挿入する事が出来る。なお、上記取付部(a1)は、引戸本体(d)の端部〔(d01)又は(d02)〕にしっかりと固定できるに十分な深さに構成されている。
【００２０】
また、この取付部(a1)を構成する樹脂の厚みは1.5mmに設定されている。従って、該取付部(a1)に引戸本体(d)の端部を挿入したときに面材(d2)から樹脂の厚みだけの段差が出来るが、この厚みが1.5mm程度なので違和感や支障は無い。
【００２１】
さらに、上記取付部(a1)の底面(a11)の幅中央には、長さ方向全体に亘って設けられる係止部(a10)が形成されており、この係止部(a10)の高さ(h)は、本例では20mmに設定されている。また係止部(a10)は図に示されるような段(a101)付き構造のもので、これによって係止を確実なものとする。
【００２２】
なお、係止部(a10)の設け方は上記のものに限られず、例えば図５に示す引手部材(A2)のように取付部(a1)の両溝縁部(a12)(a12)に設けられていても良く、また、図６に示す引手部材(A3)のように取付部(a1)の底面(a11)の中央部と両溝縁部(a12)(a12)とに設けられていても良い。
【００２３】
戸当たり部(a3)は、その先端面の中央部に長さ方向全長に亘って緩衝材(a31)が設けられている。
【００２４】
前記取付部(a1)と上記戸当たり部(a3)とが薄層連結部(a2)によって連結されているので、図に示すように、該薄層連結部(a2)の表裏両側に上記取付部(a1)の全長に沿う各引手用溝部(a21)が形成されることになる。
【００２５】
なお、上記薄層連結部(a2)を厚み方向の片側によせて前記取付部(a1)と上記戸当たり部(a3)とを連結すれば、図７に示す引手部材(A4)のように、表裏いずれかの側のみに引手用溝部(a21)が形成されることとなるが、これも本発明に含まれることは言うまでもない。
【００２６】
以上の構成の引戸用通し引手部材(A1)の引戸本体(d)への装着について説明する。
まず、取付部(a1)を引戸本体(d)の前・後各端部(d01)(d02)に被せるようにしてこの取付部(a1)の凹溝内に引戸本体(d)の各端部(d01)(d02)を挿入していく。
【００２７】
ある程度挿入したとき、取付部(a1)に突出している係止部(a10)が、引戸本体(d)の縦枠(d1)の先端面(d11)に形成されている係止溝(d111)に挿入される。そしてさらに挿入を続けると、取付部(a1)の底部に引戸本体(d)の縦枠(d1)の先端面(d11)が当接すると共に、係止部(a10)が係止溝(d111)内に完全に挿入されて該係止部(a10)の表面に形成されている段部(a101)がアンカ効果を発揮してしっかりと係止されることとなり、これによって引手部材(A1)は引戸本体(d)に確実に固定されて引戸(D)が完成される。尚、引手部材を固定する場合、取付部内面と引戸本体の端部との間に接着剤を併用しても良い。
【００２８】
そして引戸(D)の完成と同時に、その表裏両側に通し引手(d4)が設けられることとなる。従って、従来のように通し引手を後加工する必要がない。
また、戸当たり部(a3)の先端面に緩衝材(a31)を設けておくことにより、気密性・消音性を高めることが出来る。
【００２９】
なお、本実施例においては、引戸用通し引手部材(A1)を引戸本体(d)に装着した後、さらにラッピングシート(b)が設けられているが、これは必要に応じてなされる任意なものである。
【００３０】
【発明の効果】
本願『請求項１』に係る発明によれば、引手用溝部を構成した引手部材を引戸本体に装着する構成なので、従来のように、通し引手を後加工する必要がなく、引戸の完成と同時に簡単に通し引手を設けることが出来るので、加工性・生産性が頗る良好となる。
【００３１】
また、引手部材において、その表裏のいずれか又は表裏ともに引手用溝部を構成したものを用意することができ、用途に応じて片面のみに通し引手が設けられた引戸又は両面に通し引手が設けられた引戸を提供することが出来る。
【００３２】
さらに、本発明の引戸用通し引手部材を樹脂成形により構成すれぱ、簡単にかつ多量に同一のものを生産することができる。また、着色も簡単で、引戸本体との配色を任意に選択することができ、意匠性を高めることが出来る。
【図面の簡単な説明】
【図１】本発明の引戸用通し引手部材の一例を装着した引戸の正面概略図
【図２】図１の引戸の平面概略図
【図３】図１に用いた引戸用通し引手部材の断面構成説明図
【図４】図１の引戸の要部断面概略図
【図５】本発明の引戸用通し引手部材の参考例の図３相当図
【図６】本発明の引戸用通し引手部材の他の変形例の図３相当図
【図７】本発明の引戸用通し引手部材のさらに他の例の図３相当図
【符号の説明】
(A1)〔(A2)(A3)(A4)〕…引戸用通し引手部材
(D)…引戸
(a1)…取付部
(a2)…薄層連結部
(a3)…戸当たり部
(a10)…係止部
(a11)…取付部底面
(a12)…取付部縁部
(a21)…引手用溝部
(b)…ラッピングシート
(d)…引戸本体
(d01)(d02)…移動方向端部
(d1)…縦枠
(d2)…面材
(d3)…ハニカム構造体
(d4)…通し引手
【図１】
0004402788.tif 000002
【図２】
0004402788.tif 000003
【図３】
0004402788.tif 000004
【図４】
0004402788.tif 000005
【図５】
0004402788.tif 000006
【図６】
0004402788.tif 000007
【図７】
0004402788.tif 000008